(57)【要約】【課題】複数のパネルを段違いに連設可能とする屋根の構造において、パネル同士の継目箇所において優れた水密性能を確保できる屋根の構造について提案する。【解決手段】複数のパネル（屋内側パネル２、屋外側パネル３）を段違いに連設可能に構成される屋根１の構造であって、隣り合うパネル（屋内側パネル２、屋外側パネル３）の継目箇所（継目構造５０）において、上側に配置されるパネル（屋内側パネル２）の端部と下側に配置されるパネル（屋外側パネル３）の端部が、重なるように配置される構成とする。【選択図】図３
2010070999.tif 000002
【特許請求の範囲】
【請求項１】
複数のパネルを段違いに連設可能に構成される屋根の構造であって、
隣り合うパネルの継目箇所において、上側に配置されるパネルの端部と下側に配置されるパネルの端部が、重なるように配置される構成とする、屋根の構造。
【請求項２】
前記上側に配置されるパネルの透光性と、前記下側に配置されるパネルの透光性が異なる、ことを特徴とする、請求項１に記載の屋根の構造。
【請求項３】
前記継目箇所には、前記上側に配置されるパネル、及び、前記下側に配置されるパネルを支持するための中桟が設けられ、
前記上側に配置されるパネル、及び、前記下側に配置されるパネルが重なる範囲は、少なくとも、前記中桟の幅よりも広く確保される、
ことを特徴とする、請求項１に記載の屋根の構造。
【請求項４】
前記継目箇所には、前記上側に配置されるパネルと前記下側に配置されるパネルの間の空間を外部から遮蔽するための壁部材が設けられる、
ことを特徴とする、請求項１乃至請求項３のいずれか一項に記載の屋根の構造。
【請求項５】
前記上側に配置されるパネル、及び、前記下側に配置されるパネルを下側から支持するための支持材は、
前記上側に配置されるパネルを支持する箇所では、前記上側に配置されるパネルと支持材の間に、アタッチメント部材が介装され、
前記下側に配置されるパネルを支持する箇所では、前記下側に配置されるパネルと支持材の間に、前記アタッチメント部材が介装されない構成とすることで、前記上側に配置されるパネルと前記下側に配置されるパネルを段違いに配置可能とするとともに、
前記支持材は、前記アタッチメント部材、及び、前記中桟を使用しない態様において、前記上側に配置されるパネル、及び、前記下側に配置されるパネルで覆う範囲に相当する範囲を覆うための一枚のパネルを支持可能に構成される、
ことを特徴とする、請求項１乃至請求項４のいずれか一項に記載の屋根の構造。
【請求項６】
前記上側に配置されるパネル、及び、前記下側に配置されるパネルを下側から支持するための支持材は、
前記上側に配置されるパネルと下側に配置されるパネルが段違いに配置される仕様において、前記上側に配置されるパネルの端部を載置可能に構成されるとともに、
前記上側に配置されるパネル、及び、前記下側に配置されるパネルで覆う範囲に相当する範囲を覆うための一枚のパネルが配置される仕様において、前記一枚のパネルの端部を上片部の下方において嵌装可能に構成される、
ことを特徴とする、請求項１乃至請求項４のいずれか一項に記載の屋根の構造。
【発明の詳細な説明】
【技術分野】
【０００１】
本発明は、テラス、カーポート、バルコニー、サンルームなどに設けられる屋根の構造に関する。
【背景技術】
【０００２】
従来、テラスやカーポートなどに設けられる屋根において、屋外側に透明なパネルを設けるとともに、屋内側に不透明なパネルを設け、屋外側と屋内側において、透光性の異なるパネルが段違いに配置される構成が知られている（例えば、特許文献１参照。）。
【０００３】
特許文献１に開示される構成は、屋外側パネル（屋根板）を透明とし、屋内側パネルを半透明から不透明の有色とするものである。そして、屋外側パネルの屋内側端部と、屋内側パネルの屋外側端部の間には、屋内外方向に間隔が形成され、この間隔に中桟（野縁）が配置されて各パネルの端部が支持される構成が開示されている。また、中桟（野縁）には、上方から屋根幅方向に長い板状の板押さえが設置される構成が開示されている。この板押さえによって、両パネルの端部が気密状態に押圧保持され、両パネルの継目箇所の水密性（防水性）が確保されるようになっている。また、屋内側パネルの上面の屋外側端部は、屋外側パネルの上面の屋内側端部よりも高い位置に配置され、これにより、屋外側パネルと屋内側パネルが、いわゆる、段違いに配置されるようになっている。
【特許文献１】特開昭５９−２３３０７３号公報
【発明の開示】
【発明が解決しようとする課題】
【０００４】
しかし、特許文献１のように、屋内側パネルと屋外側パネルの間に、屋内外方向の間隔を形成し、この間隔の水密状態を板押さえによって確保する構成とすると、板押さえと垂木の間や、板押さえとパネルの端部の間において水密性を確実に確保する必要がある。
【０００５】
ここで、パネルには、屋外側が低くなる勾配がつけられているため、雨水は、屋内側パネルから板押さえに落下し、板押さえの上面を伝って屋外側パネルへと導かれることになるため、特に、板押さえと屋外側パネルの間における水密性が重要となる。そして、例えば、経年によってパネルや板押さえが変形することになると、パネルと板押さえの間の水密性が悪化し、水漏れの発生が懸念される。
【０００６】
また、屋外側から屋内側へと吹き上げられる風の流れが発生した場合には、雨水が屋外側パネルと屋内側パネルの間に形成される上下方向の隙間に浸入してしまうことが懸念される。例えば、特許文献１に開示される構成では、屋内側パネルの端部の凹部に対して屋外側パネルの端部が挿入される形態としているが、経年によって板押さえと屋内側パネルの間の接合部に隙間が形成された場合には、その箇所からの水漏れの発生が懸念される。
【０００７】
以上のように、従来の特許文献１に開示されるような、屋内側パネルと屋外側パネルの間に屋内外方向の間隔が形成される構成では、板押さえなどの板状の部材を別途設けるとともに、板押さえとパネルの間において水密性能を確保することとしつつも、その水密性能については、経年などによって水漏れの発生が懸念されるのである。
【０００８】
そこで、本発明は以上の問題に鑑み、複数のパネルを段違いに連設可能とする屋根の構造において、パネル同士の継目箇所において優れた水密性能を確保できる屋根の構造について提案するものである。
【課題を解決するための手段】
【０００９】
本発明の解決しようとする課題は以上の如くであり、次にこの課題を解決するための手段を説明する。
【００１０】
即ち、請求項１に記載のごとく、
複数のパネルを段違いに連設可能に構成される屋根の構造であって、
隣り合うパネルの継目箇所において、上側に配置されるパネルの端部と下側に配置されるパネルの端部が、重なるように配置される構成とするものである。
【００１１】
また、請求項２に記載のごとく、
前記上側に配置されるパネルの透光性と、前記下側に配置されるパネルの透光性が異なる、こととするものである。
【００１２】
また、請求項３に記載のごとく、
前記継目箇所には、前記上側に配置されるパネル、及び、前記下側に配置されるパネルを支持するための中桟が設けられ、
前記上側に配置されるパネル、及び、前記下側に配置されるパネルが重なる範囲は、少なくとも、前記中桟の幅よりも広く確保される、こととするものである。
【００１３】
また、請求項４に記載のごとく、
前記継目箇所には、前記上側に配置されるパネルと前記下側に配置されるパネルの間の空間を外部から遮蔽するための壁部材が設けられる、こととするものである。
【００１４】
また、請求項５に記載のごとく、
前記上側に配置されるパネル、及び、前記下側に配置されるパネルを下側から支持するための支持材は、
前記上側に配置されるパネルを支持する箇所では、前記上側に配置されるパネルと支持材の間に、アタッチメント部材が介装され、
前記下側に配置されるパネルを支持する箇所では、前記下側に配置されるパネルと支持材の間に、前記アタッチメント部材が介装されない構成とすることで、前記上側に配置されるパネルと前記下側に配置されるパネルを段違いに配置可能とするとともに、
前記支持材は、前記アタッチメント部材、及び、前記中桟を使用しない態様において、前記上側に配置されるパネル、及び、前記下側に配置されるパネルで覆う範囲に相当する範囲を覆うための一枚のパネルを支持可能に構成される、こととするものである。
【００１５】
また、請求項６に記載のごとく、
前記上側に配置されるパネル、及び、前記下側に配置されるパネルを下側から支持するための支持材は、
前記上側に配置されるパネルと下側に配置されるパネルが段違いに配置される仕様において、前記上側に配置されるパネルの端部を載置可能に構成されるとともに、
前記上側に配置されるパネル、及び、前記下側に配置されるパネルで覆う範囲に相当する範囲を覆うための一枚のパネルが配置される仕様において、前記一枚のパネルの端部を上片部の下方において嵌装可能に構成される、こととするものである。
【発明の効果】
【００１６】
本発明の効果として、以下に示すような効果を奏する。
【００１７】
即ち、請求項１に記載の発明においては、
上側のパネルの上面を伝って落下する水滴は、下側のパネルの上面に直接的に落下して、そのまま上面を伝って落下することになる継目構造が構成されることになり、継目箇所における水漏れの発生を確実に防止することができる。
【００１８】
また、請求項２に記載の発明においては、
例えば、屋根をテラスの上方に設置する形態において、屋外側では透光性を高くして日差しによる洗濯物の乾燥を促進する一方、屋内側では透光性を低くして遮光を行うことで、室内への日差しの直接的な入射を遮ることが可能となる。
【００１９】
また、請求項３に記載の発明においては、
パネルが重なる範囲が広く確保され、上側のパネルの上面を伝って落下する水滴は、下側のパネルの上面に対し、確実に落下することになり、継目箇所における水漏れの発生を確実に防止することができるようになる。
【００２０】
また、請求項４に記載の発明においては、
下側に配置されるパネルの上を吹き上がる風の流れが発生した場合でも、壁部材の縦壁部によって、この風の流れを巻き返すことが可能となり、空間内への水の浸入を防止できる。
【００２１】
また、請求項５に記載の発明においては、
アタッチメント部材を使い分けることにより、パネルを段違いに配置する仕様と、一枚のパネルを設置する仕様の両方に対応することができ、両仕様について、支持材の共通化を図ることができる。そして、これにより、部品点数の削減や製作コスト削減を図ることが可能となる。
【００２２】
また、請求項６に記載の発明においては、
支持材に対するパネルの支持箇所を使い分けることにより、パネルを段違いに配置する仕様と、一枚のパネルを設置する仕様の両方に対応することができ、両仕様について、支持材の共通化を図ることができる。そして、これにより、部品点数の削減や製作コスト削減を図ることが可能となる。
【発明を実施するための最良の形態】
【００２３】
次に、発明の実施の形態を説明する。
図１は、本願発明の一実施形態にかかる屋根の継目構造５０を適用した屋根１の概要について示すものである。
この図１において、屋根１は、テラス１６の上方に配置されている。また、屋根１の屋内側には、複数枚（本実施形態では２枚）の屋内側パネル２・２が屋根１の幅方向に並設される。また、屋内側パネル２・２の屋外側には、屋外側パネル３・３が屋根１の幅方向に並設される。また、屋外側パネル３・３は、屋内側パネル２・２よりも一段低い位置に配置され、屋内側パネル２と屋外側パネル３は、いわゆる段違いに配置されるようになっている。なお、本明細書において、屋内側とは、屋根１が付設される建物１００に近い側をいい、屋外側とは、屋根１が付設される建物１００から遠い側をいうものとする。
【００２４】
また、図１に示すごとく、屋外側パネル３・３は、透光性の高い（例えば、透明）板部材にて構成され、これにより、屋根１の屋外側にて十分な採光が行えることとしている。一方、屋内側パネル２・２は、透光性の無い（もしくは、透光性の低い（例えば、有色半透明））板部材にて構成され、これにより、屋根１の屋内側では遮光が行えるようになっている。このように、二種類の透光性の異なる板部材を屋内外方向に配置することで、屋外側では日差しによる洗濯物１５の乾燥を促進する一方、屋内側では遮光を行うことで、図示せぬ室内への日差しの直接的な入射を遮れるようになっている。
【００２５】
また、図２は、図１のＡ−Ａ線断面を示すものである。外壁５には垂木掛け６が設置されており、この垂木掛け６と屋外柱７の間に、側桁８が架設される。また、側桁８の中途部において、側桁８と図示せぬ垂木、又は、もう一方の側桁の間に、中桟９（野縁ともいう）が架設されている。また、側桁８の屋外側端部と屋外柱７は、軒桁１０を挟んで連結されるようになっている。
【００２６】
また、図２に示すごとく、側桁８には、屋外側が屋内側よりも低くなる勾配が付けられており、垂木掛け６と中桟９の間には、屋内側パネル２が設置され、中桟９と軒桁１０の間には、屋外側パネル３が設置されるようになっている。
【００２７】
また、図３及び図４は、屋内側パネル２と屋外側パネル３の継目箇所に配置される中桟９の部位の拡大図であり、中桟９は、下板部９ａ、屋内側壁部９ｂ、屋外側壁部９ｃ、上板部９ｄからなる方形断面を有する長尺の部材である。また、中桟９の下板部９ａは、側桁８（図３参照）に支持固定される。
【００２８】
また、図３及び図４に示すごとく、中桟９の上板部９ｄの屋内側端部には、上壁部９ｅが上方に突設されており、この上壁部９ｅを屋内側パネル２の下面２ａに当着させて中桟９と屋内側パネル２の間の隙間を塞ぐことで、水密性能が確保される（屋内側パネル２と中桟９の接合部での二次防水）。また、上板部９ｄと屋内側パネル２の下面２ａの間には、シール部材１１が挟装されており、シール部材１１によって中桟９と屋内側パネル２の間の隙間を塞ぐことで、水密性能が確保される（屋内側パネル２と中桟９の接合部での一次防水）。以上の構成で、屋内側パネル２が中桟９に載置されつつ、屋内側パネル２と中桟９の間では、二段階で止水（防水）を行うことができるようになっており、屋内側パネル２の裏側への水の浸入を防止できる。
【００２９】
また、図３及び図４に示すごとく、屋外側壁部９ｃの上部には開口部９ｆが形設されており、この開口部９ｆに断面視凹状の長尺のシール部材１２を装着するとともに、シール部材１２の凹状の挟装部１３に屋外側パネル３の屋内側端部３１が嵌装される構成としている。これにより、屋外側パネル３が中桟９に嵌装されつつ、屋外側パネル３と中桟９の間の隙間が塞がれて、水密性能が確保される（屋外側パネル３と中桟９の接合部での一次防水）。また、中桟９に挿入された屋内側端部３１の下方には、屋内側壁部９ｂと屋外側壁部９ｃの間を結ぶ中壁部９ｇが形設されており、この中壁部９ｇによって、シール部材１２から水が漏洩してしまった場合でも、その水を受けることができるようになっている（屋外側パネル３と中桟９の接合部での二次防水）。以上の構成で、屋外側パネル３が中桟９に嵌装されつつ、屋外側パネル３と中桟９の間では、二段階で止水（防水）を行うことができるようになっており、例えば、中桟９の内部空間９ｈに多量の水が浸入し、中桟９の端部から漏れるといった不具合の発生を防止できる。
【００３０】
また、図３及び図４に示すごとく、屋内側パネル２の屋外側端部２１は、屋外側パネル３の屋内側端部３１よりも、屋外側に配置されるようになっている。
これにより、屋内側パネル２の屋外側端部２１の下方に、屋外側パネル３が配置され、上側の屋内側パネル２と下側の屋外側パネル３が重なる範囲６０（図３参照：ラップする範囲）が形成されるようになる。
【００３１】
そして、図３及び図４に示すごとく、このような屋内側パネル２と屋外側パネル３の配置関係により、屋内側パネル２の上面２ｂを伝って落下する水滴４０は、屋外側パネル３の上面３ｂに直接的に落下して、そのまま上面３ｂを伝って落下することになる継目構造５０が構成される。そして、これにより、屋内側パネル２と屋外側パネル３との継目箇所における水漏れの発生を確実に防止することができる。
【００３２】
また、図３及び図４に示すごとく、各パネル２・３と中桟９の関係においては、屋内側パネル２の屋外側端部２１は、中桟９の屋外側壁部９ｃよりも屋外側に配置され、屋外側パネル３の屋内側端部３１は、中桟９の屋外側壁部９ｃよりも屋内側に配置されるようになっている。これにより、屋内側パネル２と屋外側パネル３が重なる範囲６０（図３参照）は、少なくとも、中桟９の屋内外方向の幅７０（図３参照）よりも広く確保され、継目構造５０の箇所における水漏れの発生を確実に防止することができるようになる。
【００３３】
また、図３、及び図４に示すごとく、仮に、屋内側パネル２の屋外側端部２１と屋外側パネル３の間の空間５１に水が浸入してしまった場合においても、屋内側パネル２と中桟９の間では二段階の止水がなされ、屋外側パネル３と中桟９の間でも二段階の止水がなされるため、空間５１に水が浸入してしまった場合でも、屋根裏（屋内側パネル２、屋外側パネル３の下方）への水の浸入を確実に防止することができる。
【００３４】
さらに、図３及び図４に示すごとく、屋内側パネル２の屋外側端部２１には、屋内側パネル２と屋外側パネル３の間の空間５１を外部から遮蔽するための壁部材１４が設けられる構成としている。この壁部材１４は、屋内側パネル２の屋外側端部２１を、屋外側パネル３の屋内側端部３１よりも室外側に持ち出すようにすることで、屋外側端部２１に設けられることが可能となるものである。
【００３５】
また、図３及び図４に示すごとく、この壁部材１４は、中桟９の長手方向と同方向に長い長尺の部材（図４参照）であって、屋内側パネル２と屋外側パネル３の間を塞ぐための縦壁部１４ａと、縦壁部１４ａの上下中途部から屋内側パネル２の下面２ａに向かって延びる固定部１４ｂと、縦壁部１４ａの上端部から屋内側パネル２の上面２ｂに向かって延びる上板部１４ｃと、縦壁部１４ａの下端部から屋外側へ延びる下板部１４ｄを有して構成している。そして、固定部１４ｂと上板部１４ｃの間に、屋内側パネル２の屋外側端部２１を挿入しつつ、屋内側パネル２の上から固着具２２（図３参照）を挿入し、固着具２２を固定部１４ｂに螺挿することにより、壁部材１４が屋内側パネル２に固定される。
【００３６】
そして、図３に示すごとく、以上の構成によれば、屋外側パネル３の上を吹き上がる風の流れ５２が発生した場合でも、壁部材１４の縦壁部１４ａによって、この風の流れ５２を巻き返すことが可能となり、空間５１内への水の浸入を防止できる。また、下板部１４ｄが屋外側へ延びる構成とすることで、下板部１４ｄと屋外側パネル３の接触部１４ｅが広く確保され、この接触部１４ｅによって下板部１４ｄと屋外側パネル３の間の隙間から空間５１内への水の浸入を防止できる。
【００３７】
次に、図５乃至図８を用いて、屋内側パネル２、屋外側パネル３の側桁８、垂木４、及び、垂木掛け６に対する固定方法について説明する。
図５（ａ）に示すごとく、屋外側となる位置においては、側桁８と垂木４の間に、屋外側パネル３が架設される。また、図５（ｂ）に示すごとく、屋内側となる位置においては、側桁８と垂木４の間に、屋内側パネル２が架設されるようになっている。
【００３８】
また、図６（ａ）は、屋外側パネル３の側桁８への固定に関する構造について説明するものである。側桁８は、中空の枠状断面を有する長尺の部位材であり、側桁８の上部右部には、シール部材８１を取り付ける嵌合部８２が設けられ、また、側桁８の上部中途部には、固着具８３を螺挿するための筒状の孔部８４が設けられている。また、側桁８の上側からは、固定カバー８５が固定される。この固定カバー８５には、側桁８のシール部材８１と対向しつつ、シール部材８１との間に屋外側パネル３を挟装するためのシール部材８６が設けられている。そして、固定カバー８５を屋外側パネル３に被せつつ、固着具８３によって固定カバー８５が側桁８に固定されることで、屋外側パネル３が固定カバー８５と側桁８の間に挟まれた状態で固定される。
【００３９】
また、図６（ｂ）は、屋内側パネル２の側桁８への固定に関する構造である。側桁８、及び、固定カバー８５については、図６（ａ）と同様であるが、図３に示すごとく、屋内側パネル２の屋外側端部２１は、屋外側パネル３の屋内側端部３１よりも高い位置に配置され、いわゆる、屋内側パネル２と屋外側パネル３が段違いに配置されるため、この配置を実現するために、屋内側パネル２と側桁８の間にアタッチメント部材８７が挟装される構成としている。このアタッチメント部材８７には、側桁８の上板部８８ａ・８８ｂにそれぞれ載置されるための脚部８７ａ・８７ｂと、固定カバー８５を支えるための立上げ部８７ｃ・８７ｄと、シール部材８７ｅを介して屋内側パネル２の側端部２ｃを下側から支えるための支持片部８７ｆを有して構成されている。なお、「段違いに配置」とは、屋内側パネル２の屋外側端部２１が、屋外側パネル３の屋内側端部３１よりも高い位置に配置される様を言う。
【００４０】
そして、図６（ｂ）に示すごとく、屋内側パネル２の固定においては、まず、アタッチメント部材８７を側桁８に載置し、その後、アタッチメント部材８７と固定カバー８５の間に屋内側パネル２を挟み、固着具８９を孔部８４に螺挿することで、アタッチメント部材８７と固定カバー８５の間に屋内側パネル２を挟んだ状態で固定する。なお、この固着具８９は、図６（ａ）の固着具８３よりも長いものが利用される。
【００４１】
そして、図６（ａ）に示すアタッチメント部材８７を設けないで屋外側パネル３が固定される場合と比較して、図６（ｂ）では、アタッチメント部材８７の支持片部８７ｆの配置高さＨ１だけ高い位置に屋内側パネル２を挟装する部位が形成されることになる。つまり、側桁８を基準とする高さに関し、屋内側パネル２は、屋外側パネル３と比較して、配置高さＨ１だけ高い位置に固定されるようになっている。
【００４２】
同様に、図７（ａ）に示すごとく、垂木４においても、屋外側において屋外側パネル３を固定する場合では、固定カバー４１を垂木４に対して直接固定する一方、図７（ｂ）に示すごとく、屋内側において屋内側パネル２を固定する場合では、固定カバー４１と垂木４の間に、アタッチメント部材５２を配置するものである。これにより、垂木４を基準とする高さに関し、屋内側パネル２は、屋外側パネル３と比較して、アタッチメント部材５２に設けた支持片部５２ｆの配置高さＨ２だけ高い位置に固定されるようになっている。
【００４３】
なお、図７（ａ）の構造について説明すると、垂木４は、中空の方形断面を有する長尺の部材であり、垂木４の上部側端部にそれぞれシール部材４２・４２を取り付ける嵌合部４３・４３が設けられ、また、垂木４の上部中途部には、固着具４４を螺挿するための筒状の孔部４５が設けられている。また、垂木４の上側からは、固定カバー４１が固定される。この固定カバー４１には、垂木４のシール部材４２・４２と対向しつつ、シール部材４２・４２との間に屋外側パネル３・３を挟装するためのシール部材４８・４８が設けられている。そして、固定カバー４１を屋外側パネル３・３に被せつつ、固着具４４によって固定カバー４１が垂木４に固定されることで、屋外側パネル３・３が固定カバー４１と垂木４の間に挟まれた状態で固定される。
【００４４】
また、図７（ｂ）の構成においては、屋内側パネル２と垂木４の間にアタッチメント部材５２が挟装される構成としている。このアタッチメント部材５２には、垂木４の上板部４６ａ・４６ｂにそれぞれ載置されるための脚部５２ａ・５２ｂと、固定カバー４１を支えるための立上げ部５２ｃ・５２ｄと、シール部材５２ｅ・５２ｅを介して屋内側パネル２・２の側端部２ｃ・２ｃを下側から支える支持片部５２ｆ・５２ｆを有して構成されている。また、固着具４７を垂木４の孔部４５に螺挿することで、固定カバー４１を垂木４に固定できるようになっている。
【００４５】
さらに、図８（ｂ）に示すごとく、垂木掛け６においては、垂木掛け６の上片部６１に屋内側パネル２を載置し、その上からシール部材６３を設けた固定カバー６２を被せることで、屋内側パネル２を垂木掛け６と固定カバー６２（シール部材６３）の間に挟装した状態で固定できるようになっている。また、固定カバー６２は、固着具６４により、外壁５に対して固定されるようになっている。
【００４６】
以上の説明において、図５（ｂ）、図６（ｂ）、図７（ｂ）、図８（ｂ）は、屋内側パネル２の固定に関するものである。そして、屋内側パネル２において、アタッチメント部材８７・５２、及び、垂木掛け６の上片部６１を利用した固定方法とすることで、側桁８（垂木４）を基準として、屋内側パネル２を屋外側パネル３よりも相対的に高い位置に設置することが可能となり、図３に示すごとく、屋内側パネル２の屋外側端部２１の下方に、屋外側パネル３を配置させることが可能となる。
【００４７】
さらに、以上の説明では、屋内側パネル２と屋外側パネル３を別の板部材で構成するために、図３に示すごとくの継目構造５０が必要となるものであるが、仮に、図９に示すごとく、屋外部から屋内側にかけて一枚のパネル１７にて構成する場合には、この継目構造５０（図３）が不要となる。そして、この場合には、図６（ｂ）、図７（ｂ）の構成において、アタッチメント部材８７・５２を省いた構成とするとともに、図８（ａ）に示すごとく、垂木掛け６に設けた開口部６５に、シール部材６６を介してパネル１７の屋内側端部１８を嵌装することで対応することができるようになっている。
【００４８】
以上のように、本実施形態の構成によれば、図５乃至図８に示すごとく、側桁８、垂木４、垂木掛け６について部品を共通としつつ、必要に応じて、アタッチメント部材８７・５２、固定カバー６２（図８（ｂ）参照）の固定方法を使い分けることにより、屋内側と屋外側で異なるパネルを設置する仕様と、屋内側から屋外側にかけて一枚のパネルを設置する仕様の両方に対応できるようになっている。また、側桁８、垂木４に適用されるアタッチメント部材８７・５２を利用する形態を垂木掛け６に適用してもよいし、その逆に、垂木掛け６に適用される上片部６１を利用する形態を、側桁８、垂木４に適用してもよい。
【００４９】
以上が本実施形態の構成である。
即ち、図３に示すごとく、複数のパネル（屋内側パネル２、屋外側パネル３）を段違いに連設可能に構成される屋根１の構造であって、隣り合うパネル（屋内側パネル２、屋外側パネル３）の継目箇所（継目構造５０）において、上側に配置されるパネル（屋内側パネル２）の端部と下側に配置されるパネル（屋外側パネル３）の端部が、重なるように配置される構成とするものである。
【００５０】
これにより、上側のパネル（屋内側パネル２）の上面２ｂを伝って落下する水滴４０は、下側のパネル（屋外側パネル３）の上面３ｂに直接的に落下して、そのまま上面３ｂを伝って落下することになる継目構造５０が構成されることになり、継目箇所における水漏れの発生を確実に防止することができる。
【００５１】
また、図１に示すごとく、上側に配置されるパネル（屋内側パネル２）の透光性と、下側に配置されるパネル（屋外側パネル３）の透光性は、異なることとするものである。
【００５２】
これにより、例えば、屋根１をテラス１６の上方に設置する形態において、屋外側では透光性を高くして日差しによる洗濯物１５の乾燥を促進する一方、屋内側では透光性を低くして遮光を行うことで、室内への日差しの直接的な入射を遮ることが可能となる。
【００５３】
また、図３に示すごとく、前記継目箇所には、上側に配置されるパネル（屋内側パネル２）、及び、下側に配置されるパネル（屋外側パネル３）を支持するための中桟９が設けられ、前記上側に配置されるパネル、及び、前記下側に配置されるパネルが重なる範囲６０は、少なくとも、中桟９の幅７０よりも広く確保される構成とする。
【００５４】
これにより、パネルが重なる範囲６０が広く確保され、上側のパネル（屋内側パネル２）の上面２ｂを伝って落下する水滴４０は、下側のパネル（屋外側パネル３）の上面３ｂに対し、確実に落下することになり、継目箇所における水漏れの発生を確実に防止することができるようになる。
【００５５】
また、図３に示すごとく、前記継目箇所には、上側に配置されるパネル（屋内側パネル２）と下側に配置されるパネル（屋外側パネル３）の間の空間５１を外部から遮蔽するための壁部材１４が設けられる構成としている。
【００５６】
これにより、下側に配置されるパネル（屋外側パネル３）の上を吹き上がる風の流れ５２が発生した場合でも、壁部材１４の縦壁部１４ａによって、この風の流れ５２を巻き返すことが可能となり、空間５１内への水の浸入を防止できる。
【００５７】
また、図６（ａ）（ｂ）、及び図７（ａ）（ｂ）に示すごとく、前記上側に配置されるパネル（屋内側パネル２）、及び、前記下側に配置されるパネル（屋外側パネル３）を下側から支持するための支持材（側桁８、垂木４）は、
前記上側に配置されるパネル（屋内側パネル２）を支持する箇所では、前記上側に配置されるパネルと支持材の間に、アタッチメント部材８７・５２が介装され、
前記下側に配置されるパネル（屋外側パネル３）を支持する箇所では、前記下側に配置されるパネルと支持材の間に、前記アタッチメント部材８７・５２が介装されない構成とすることで、前記上側に配置されるパネルと前記下側に配置されるパネルを段違いに配置可能とするとともに、
前記支持材（側桁８、垂木４）は、前記アタッチメント部材８７・５２、及び、前記中桟９を使用しない態様において、前記上側に配置されるパネル、及び、前記下側に配置されるパネルで覆う範囲に相当する範囲を覆うための一枚のパネル１７（図９参照）を支持可能に構成される、こととするものである。
【００５８】
これにより、アタッチメント部材８７・５２を使い分けることにより、パネルを段違いに配置する仕様と、一枚のパネルを設置する仕様の両方に対応することができ、両仕様について、支持材（側桁８、垂木４）の共通化を図ることができる。そして、これにより、部品点数の削減や製作コスト削減を図ることが可能となる。
【００５９】
また、図８（ａ）（ｂ）に示すごとく、前記上側に配置されるパネル（屋内側パネル２）、及び、前記下側に配置されるパネル（屋外側パネル３）を下側から支持するための支持材（垂木掛け６）は、
図２及び図８（ｂ）に示すごとく、前記上側に配置されるパネル（屋内側パネル２）と下側に配置されるパネル（屋外側パネル３）が段違いに配置される仕様において、前記上側に配置されるパネルの端部を載置可能に構成されるとともに、
図８（ａ）及び図９に示すごとく、前記上側に配置されるパネル、及び、前記下側に配置されるパネルで覆う範囲に相当する範囲を覆うための一枚のパネル１７が配置される仕様において、前記一枚のパネル１７の端部を上片部６１の下方において嵌装可能に構成される、こととするものである。
【００６０】
これにより、支持材（垂木掛け６）に対するパネルの支持箇所（上片部６１、開口部６５）を使い分けることにより、パネルを段違いに配置する仕様と、一枚のパネルを設置する仕様の両方に対応することができ、両仕様について、支持材（垂木掛け６）の共通化を図ることができる。そして、これにより、部品点数の削減や製作コスト削減を図ることが可能となる。
【００６１】
また、以上の実施形態では、図２に示すごとく、屋内側パネル２と屋外側パネル３の二つが屋内外方向に並置される構成とし、その間に一つの継目構造５０（図３参照）が配置されることとしたが、より多くの枚数のパネルを屋内外方向に並置して、二つ以上の継目箇所が形成される構成においても、本実施形態の継目構造５０（図３参照）は適用できることになる。これにより、一枚のパネルでは到底構成することのできない、大型の屋根を構成することが可能となる。この場合、最も屋内側に配置されるパネルと、最も屋外側に配置されるパネルにおいて、側桁８を基準とするパネルの高さ位置が大きく変わることになるため、図６（ａ）に示されるアタッチメント部材８７などについて、より高さの高いものを適用するなど、適宜、設計変更が必要となる。
【００６２】
また、以上の実施形態では、建物外壁に屋根を連続的に配置される構成としたが、カーポート用などの屋根であって、建物外壁と離れた位置に配置される屋根についても、本実施形態の継目構造５０（図３参照）は適用できる。この場合では、図２に示す構成において、垂木掛け６を外壁５に固定する代わりに、図示せぬ柱にて垂木掛け６の両端部などを支持する構成となる。
【実施例１】
【００６３】
図１０は、屋内側パネル２と屋外側パネル３の継目箇所１５０の他の構成例である。
中桟９０における屋内外方向の二箇所にシール部材９３・９４を配置し、このシール部材９３・９４に屋外側パネル３を載置することとする。ここで、屋外側パネル３の屋内側端部３１は、中桟９０の屋内側側部９１と同一、もしくは、屋内側側部９１よりも屋内側に配置されることとするのが好ましい。そして、この屋外側パネル３の上から屋内側パネル２を被せるように配置する。ここで、屋内側パネル２の屋外側端部２１は、中桟９０の屋外側側部９２と同一、もしくは、屋外側側部９２よりも屋外側に配置されることとするのが好ましい。
【００６４】
そして、この図１０の構成によっても、屋内側パネル２の上面２ｂを伝って落下する水滴は、屋外側パネル３の上面３ｂに落下して、そのまま上面３ｂを伝って落下することになり、屋内側パネル２と屋外側パネル３との継目箇所１５０における水漏れの発生を確実に防止することができる。
【実施例２】
【００６５】
図１１は、屋内側パネル２と屋外側パネル３の継目箇所２５０の他の構成例である。
この例では、屋外側パネル３の屋内側端部３１の上から、屋内側パネル２の屋外側端部２１を被せるように配置しつつ、両パネルの間に、略Ｓ字断面を有するシール部材９３を挟装する構成とするものである。このシール部材９３においては、上辺部９３ａによって屋内側パネル２を上から押さえるとともに、下片部９３ｂによって屋外側パネル３を下から押さえる構成となっており、これにより、両パネル２・３を互いに近づけて、両パネル２・３に挟まれる中片部９３ｃと各パネル２・３を密着させることができる構成となっている。なお、このシール部材９３は、ゴムや樹脂などの弾性部材や、板金部材で構成することができる。
【００６６】
そして、この図１１の構成によっても、屋内側パネル２の上面２ｂを伝って落下する水滴は、屋外側パネル３の上面３ｂに落下して、そのまま上面３ｂを伝って落下することになり、屋内側パネル２と屋外側パネル３との継目箇所２５０における水漏れの発生を確実に防止することができる。
【産業上の利用可能性】
【００６７】
本発明は、テラス、カーポート、バルコニー、サンルームなどに設けられる屋根の構造に適用することができる。
【図面の簡単な説明】
【００６８】
【図１】本発明の一実施例に係る屋根の継目構造を適用した屋根の斜視図。
【図２】図１のＡ−Ａ線断面における構造を示す断面図。
【図３】屋内側パネルと屋外側パネルの継目構造について示す断面図。
【図４】屋内側パネルと屋外側パネルの継目構造について示す斜視図。
【図５】（ａ）は、図１のＢ−Ｂ線端面の構造を示す断面図。（ｂ）は、図１のＣ−Ｃ線端面の構造を示す断面図。
【図６】（ａ）は、側桁の部位における屋外側パネルの固定構造について示す断面図。（ｂ）は、側桁の部位における屋内側パネルの固定構造について示す断面図。
【図７】（ａ）は、垂木の部位における屋外側パネルの固定構造について示す断面図。（ｂ）は、垂木の部位における屋内側パネルの固定構造について示す断面図。
【図８】（ａ）は、パネルを垂木掛けの開口部に嵌装させる形態について示す断面図。（ｂ）は、垂木掛けの上部片にパネルを載置固定する形態について示す断面図。
【図９】屋外部から屋内側にかけて一枚のパネルにて屋根を構成する場合について示す断面図。
【図１０】継目箇所における実施例について示す図。
【図１１】継目箇所における他の実施例について示す図。
【符号の説明】
【００６９】
１      屋根
２      屋内側パネル
３      屋外側パネル
４      垂木
５      外壁
７      屋外柱
８      側桁
９      中桟
２１    屋外側端部
３１    屋内側端部
４０    水滴
４１    固定カバー
５２    アタッチメント部材
８５    固定カバー
８７    アタッチメント部材
【図１】
2010070999.tif 000003
【図２】
2010070999.tif 000004
【図３】
2010070999.tif 000005
【図４】
2010070999.tif 000006
【図５】
2010070999.tif 000007
【図６】
2010070999.tif 000008
【図７】
2010070999.tif 000009
【図８】
2010070999.tif 000010
【図９】
2010070999.tif 000011
【図１０】
2010070999.tif 000012
【図１１】
2010070999.tif 000013